【手続補正書】
【提出日】平成17年2月24日(2005.2.24)
【手続補正１】
【補正対象書類名】明細書
【補正対象項目名】発明の名称
【補正方法】変更
【補正の内容】
【発明の名称】案内装置
【手続補正２】
【補正対象書類名】明細書
【補正対象項目名】特許請求の範囲
【補正方法】変更
【補正の内容】
【特許請求の範囲】
【請求項１】
複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
音声認識手段によって認識される指定名称について、予め記憶されている情報を検索する情報検索手段と、
情報検索手段によって検索される情報が複数種類あるとき、複数種類から１種類を選択するための追加名称の音声による入力を促す出力を行い、音声認識手段によって認識される追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置。
【請求項２】
複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
音声認識手段に音声信号で指定名称を入力する際に、指定名称を限定する追加名称の音声信号による入力を促す音声処理手段と、
音声認識手段によって認識される指定名称について、予め記憶されている情報を検索する情報検索手段と、
情報検索手段によって検索される情報が複数種類あるとき、音声認識手段によって認識される追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置。
【請求項３】
複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
指定名称についての音声信号を一時的に保管する一時保管手段と、
指定名称に続いて、指定名称を限定する追加名称についての音声信号が音声認識手段に入力されるとき、追加名称が認識された後で一時保管手段に保管されている指定名称についての音声信号を音声認識手段によって認識させる音声処理手段と、
音声認識手段によって認識される指定名称について、予め記憶されている情報を検索手段と、
情報検索手段によって検索される情報が複数種類あるとき、音声認識手段によって認識されている追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置。
【請求項４】
前記指定名称および追加名称に対応する単語について、基準となる音声信号を予め記憶する辞書手段を備え、
前記音声認識手段は、音声信号に含まれる単語と辞書手段に記憶される基準となる音声信号とを比較し、不一致の程度を表す数値を照合結果として出力し、
前記一時保管手段は、音声認識手段からの照合結果を表す数値が予め定める基準値を超えるとき、前記音声信号の一時保管を行うことを特徴とする請求項３記載の案内装置。
【請求項５】
前記辞書手段は、前記指定名称または前記追加名称に対応する複数種類の辞書を有し、
前記音声認識手段は、前記単語と１つの辞書を選択した辞書手段との照合結果を表す数値に従って、次に使用すべき辞書の選択を行うことを特徴とする請求項４記載の案内装置。
【請求項６】
前記音声認識手段は、前記単語の照合結果を表す数値に従って、該単語を含む音声信号の前記一時保管手段による一時保管と、前記辞書手段での辞書の選択とを行い、一時保管された音声信号に含まれる単語に対して、選択された辞書を用いて照合を行うことを特徴とする請求項５記載の案内装置。
【請求項７】
前記音声認識手段は、音声信号が予め定める回数入力された後で、前記一時保管された音声信号に含まれる単語に対して、選択された辞書を用いて照合を行うことを特徴とする請求項６記載の案内装置。
【請求項８】
前記指定名称についての音声認識手段の認識結果の適否を時系列的に記憶する結果記憶手段と、
結果記憶手段に記憶されている認識結果の適否に基づいて、前記基準値を減少あるいは増加させるようにそれぞれ更新する更新手段とをさらに含むことを特徴とする請求項４〜７のいずれかに記載の案内装置。
【請求項９】
前記基準値を設定する設定手段をさらに含むことを特徴とする請求項４〜８のいずれかに記載の案内装置。
【請求項１０】
前記指定名称は、施設名称であり、
前記追加名称は都道府県名称であり、
前記情報案内手段は、地図情報の案内を行うことを特徴とする請求項１〜９のいずれかに記載の案内装置。
【請求項１１】
音声信号に基づいて施設名称を認識する音声認識手段を有し、
音声認識手段は入力された施設名称により、施設が特定できない場合、施設を特定するための追加の音声入力を促すとともに、追加された音声入力に基づいて、施設を特定することを特徴とする案内装置。
【請求項１２】
音声信号に基づいて施設名称を認識する音声認識手段を有し、
音声認識手段は入力された施設名称により、施設が特定できない場合、施設の所在地情報の音声入力を促すとともに、入力された所在地情報に基づいて、施設を特定することを特徴とする案内装置。
【請求項１３】
所在地情報は都道府県名であることを特徴とする請求項１２記載の案内装置。
【手続補正３】
【補正対象書類名】明細書
【補正対象項目名】０００１
【補正方法】変更
【補正の内容】
【０００１】
【発明の属する技術分野】
本発明は、音声信号を入力し、音声信号中に含まれる単語を認識して、単語について予め記憶されている情報を案内する案内装置に関する。
【手続補正４】
【補正対象書類名】明細書
【補正対象項目名】０００８
【補正方法】変更
【補正の内容】
【０００８】
本発明の目的は、音声認識に用いる辞書の大きさを縮小し、単語照合に要する時間を短縮して、しかも認識率を向上し、使用者が発声する回数を減少させることができる案内装置を提供することである。
【手続補正５】
【補正対象書類名】明細書
【補正対象項目名】０００９
【補正方法】変更
【補正の内容】
【０００９】
【課題を解決するための手段】
本発明は、複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
音声認識手段によって認識される指定名称について、予め記憶されている情報を検索する情報検索手段と、
情報検索手段によって検索される情報が複数種類あるとき、複数種類から１種類を選択するための追加名称の音声による入力を促す出力を行い、音声認識手段によって認識される追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置である。
【手続補正６】
【補正対象書類名】明細書
【補正対象項目名】００１１
【補正方法】変更
【補正の内容】
【００１１】
さらに本発明は、複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
音声認識手段に音声信号で指定名称を入力する際に、指定名称を限定する追加名称の音声信号による入力を促す音声処理手段と、
音声認識手段によって認識される指定名称について、予め記憶されている情報を検索する情報検索手段と、
情報検索手段によって検索される情報が複数種類あるとき、音声認識手段によって認識される追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置である。
【手続補正７】
【補正対象書類名】明細書
【補正対象項目名】００１３
【補正方法】変更
【補正の内容】
【００１３】
さらにまた本発明は、複数の名称についての情報が各名称毎に１または複数種類ずつ予め記憶され、使用者から指定される指定名称について記憶されている情報を用いる案内を行う装置であって、
音声信号が入力され、音声信号中に含まれる名称を認識する音声認識手段と、
指定名称についての音声信号を一時的に保管する一時保管手段と、
指定名称に続いて、指定名称を限定する追加名称についての音声信号が音声認識手段に入力されるとき、追加名称が認識された後で一時保管手段に保管されている指定名称についての音声信号を音声認識手段によって認識させる音声処理手段と、
音声認識手段によって認識される指定名称について、予め記憶されている情報を検索手段と、
情報検索手段によって検索される情報が複数種類あるとき、音声認識手段によって認識されている追加名称に従って情報を１種類だけ選択する情報選択手段と、
音声信号で入力された指定名称について、情報検索手段によって１種類だけ検索される情報、または情報選択手段によって１種類だけ選択される情報を案内する情報案内手段とを含むことを特徴とする案内装置である。
【手続補正８】
【補正対象書類名】明細書
【補正対象項目名】００２８
【補正方法】変更
【補正の内容】
【００２８】
本発明に従えば、地図情報の案内を行う場合に、施設名称を指定名称として音声入力し、追加名称として都道府県名称を付け加えて、複数の都道府県に同一の施設名称が存在しても、容易に区別することができる。
さらに本発明は、音声信号に基づいて施設名称を認識する音声認識手段を有し、
音声認識手段は入力された施設名称により、施設が特定できない場合、施設を特定するための追加の音声入力を促すとともに、追加された音声入力に基づいて、施設を特定することを特徴とする案内装置である。
本発明に従えば、音声認識手段が音声信号に基づいて施設名称を認識する。施設を特定することができないときは施設を特定するための追加の音声入力を促して、追加された音声入力に基づいて、施設を特定することができる。
さらに本発明は、音声信号に基づいて施設名称を認識する音声認識手段を有し、
音声認識手段は入力された施設名称により、施設が特定できない場合、施設の所在地情報の音声入力を促すとともに、入力された所在地情報に基づいて、施設を特定することを特徴とする案内装置である。
本発明に従えば、音声認識手段が音声信号に基づいて施設名称を認識する。施設を特定することができないときは施設の所在地情報の音声入力を促して、入力された所在地情報に基づいて、施設を特定することができる。
また本発明は、所在地情報は都道府県名であることを特徴とする。
本発明に従えば、都道府県名から施設を特定することができる。
【手続補正９】
【補正対象書類名】明細書
【補正対象項目名】００５４
【補正方法】変更
【補正の内容】
【００５４】
また本発明によれば、地図情報の案内を施設名称で解りやすく行い、同一の施設名称が異なる都道府県などに存在するときには、各都道府県名称を追加名称として入力して確実に目的とする施設名称についての地図情報の案内を行わせることができる。
さらに本発明によれば、音声入力で、施設名称を確実に認識することができる。
さらに本発明によれば、音声入力で、所在地情報を利用して、施設名称を認識することができる。
また本発明によれば、都道府県名を施設名称認識のための所在地情報とすることができる。